(57)【要約】【課題】振込手数料の前払いを可能として、振込依頼人が振込手数料を簡便に管理できるようにする。【解決手段】顧客は、振込手数料を前払いし、その前払い額に応じたデータが振込回数券として顧客情報データベースに記録される。顧客がネットワークバンキングにて振込依頼を行う場合、振込依頼画面には振込回数券を使用するか否かの指定欄が設けられる。ネットバンキングサーバーは、振込回数券の使用が指定されていれば（Ｓ１６６）、残り度数があることを確認のうえ（Ｓ１７０）、振込回数券の残度数から１を減じる（Ｓ１７２）と共に、ホストコンピュータへ振込依頼に応じた振込実行指示を出す（Ｓ１７４）。【選択図】      図２
2005092789.tif 000002
【特許請求の範囲】
【請求項１】
振込依頼を処理するためのシステムであって、
各顧客について振込手数料の前払い額に応じた前払いデータが記録される記憶部と、
前払いした振込手数料を今回の振込手数料に充当するかどうかの指定を含んだ振込依頼を受け付ける受付手段と、
前記受け付けた振込依頼において前払いした振込手数料を今回の振込手数料に充当することが指定されている場合に、当該振込依頼人である顧客について前記記憶部に記憶された前払いデータから、今回の振込依頼での使用分を差し引く前払いデータ更新手段と、
前記受け付けた振込依頼に従って振込先口座への振込処理を実行する振込処理手段と、を備えることを特徴とする振込依頼処理システム。
【請求項２】
前記前払いデータは、振込手数料の前払い額に応じた振込回数を表す回数データであり、
前記前払いデータ更新手段は、前記回数データから１回分を差し引くことを特徴とする請求項１記載の振込依頼処理システム。
【請求項３】
前記回数データは、料金体系の異なる複数種別の振込依頼に対応して夫々記録されており、
前記前払いデータ更新手段は、前記受け付けた振込依頼の種別に該当する回数データから１回分を差し引くことを特徴とする請求項２記載の振込依頼処理システム。
【請求項４】
前記数量データは、振込手数料の前払い金額を表す金額データであり、
前記前払いデータ更新手段は、前記金額データから前記受け付けた振込依頼に係わる手数料額を差し引くことを特徴とする請求項１記載の振込依頼処理システム。
【請求項５】
前記受け付けた振込依頼に従って振込処理が実行された場合に、その振込日や振込先を含んだ情報を使用履歴情報として、当該振込依頼人である顧客に関係付けて前記記憶部に記録する履歴記録手段と、
前記記録された使用履歴情報を、該当する顧客の端末へ送信する履歴情報送信手段と、を更に備えることを特徴とする請求項１〜４のうち何れか１項記載の振込依頼処理システム。
【請求項６】
顧客からの振込手数料の前払い額を含んだ前払い申込データを受け付ける手段と、
前記受け付けた前払い申込データに応じて、当該顧客について前記記憶部に記録された前払いデータを更新する手段と、を更に備えることを特徴とする請求項１〜５のうち何れか１項記載の振込依頼処理システム。
【請求項７】
振込依頼を処理する方法であって、
コンピュータが、各顧客から前払いされた振込手数料の金額に応じた前払いデータを所定の記憶部に記録するステップと、
コンピュータが、前払いした振込手数料を今回の振込手数料に充当するかどうかの指定を含んだ振込依頼を受け付けるステップと、
コンピュータが、前記受け付けた振込依頼において前払いした振込手数料を今回の振込手数料に充当することが指定されている場合に、当該振込依頼人である顧客について前記記憶部に記憶された前払いデータから、今回の振込案件での使用分を差し引くステップと、
コンピュータが、前記受け付けた振込依頼に従って振込先口座への振込を行うための処理を実行するステップと、を備えることを特徴とする振込依頼処理方法。
【発明の詳細な説明】
【技術分野】
【０００１】
本発明は、金融機関における振込依頼処理システム及び振込依頼処理方法に係り、特に、振込依頼人が振込手数料を前払いすることが可能な振込依頼処理システム及び振込依頼処理方法に関する。
【背景技術】
【０００２】
金融機関に対して資金の振込依頼を行う場合には振込手数料がかかる。例えば振込依頼を現金で行う場合には、振込依頼人は振込金額と振込手数料とを合算した金額を金融機関のＡＴＭに入金し（ＡＴＭ取引の場合）、あるいは、窓口担当者に支払う（窓口取引の場合）。また、依頼人口座からの引落しにより振込依頼を行う場合には、振込手数料が振込金額に合算されて口座から引き落とされる。このように、従来、振込手数料は振込案件毎に、振込金額に含めて振込依頼人から徴収されるようになっている。
【０００３】
なお、金融機関における振込依頼処理に関する先行特許文献として例えば特許文献１や特許文献２等がある。
【特許文献１】特開２００２−２８８７１０号公報
【特許文献２】特開２００３−３６３５２号公報
【発明の開示】
【発明が解決しようとする課題】
【０００４】
多数の振込案件を抱える企業等においては、経理処理上、振込金額と振込手数料とを別枠で管理したいというニーズが強い。しかしながら、上述のように、従来の振込サービスでは、振込手数料は振込金額に含めて支払われ、あるいは口座から引き落とされる。このため、企業等において振込手数料を管理するには、振込案件毎に振込手数料分を抽出して集計する作業が必要となり、管理事務が極めて煩雑になってしまう。
【０００５】
また、振込手数料のみを後払いで徴収するサービスも一部で採用されているが、このサービスが適用できるのは一定以上の信用がある企業に限定される。このため、一般の振込依頼人が、そのような後払いのサービスを利用することは難しい。
【０００６】
本発明は上記の点に鑑みてなされたものであり、振込手数料の前払いを可能として、振込依頼人が振込手数料を簡便に管理できるようにすることを目的とする。
【課題を解決するための手段】
【０００７】
上記の目的を達成するため、請求項１に記載された発明は、振込依頼を処理するためのシステムであって、
各顧客について振込手数料の前払い額に応じた前払いデータが記録される記憶部と、
前払いした振込手数料を今回の振込手数料に充当するかどうかの指定を含んだ振込依頼を受け付ける受付手段と、
前記受け付けた振込依頼において前払いした振込手数料を今回の振込手数料に充当することが指定されている場合に、当該振込依頼人である顧客について前記記憶部に記憶された前払いデータから、今回の振込依頼での使用分を差し引く前払いデータ更新手段と、
前記受け付けた振込依頼に従って振込先口座への振込処理を実行する振込処理手段と、を備えることを特徴とする。
【０００８】
また、請求項２に記載された発明は、請求項１記載の振込依頼処理システムにおいて、
前記前払いデータは、振込手数料の前払い額に応じた振込回数を表す回数データであり、
前記前払いデータ更新手段は、前記回数データから１回分を差し引くことを特徴とする。
【０００９】
また、請求項３に記載された発明は、請求項２記載の振込依頼処理システムにおいて、
前記回数データは、料金体系の異なる複数種別の振込依頼に対応して夫々記録されており、
前記前払いデータ更新手段は、前記受け付けた振込依頼の種別に該当する回数データから１回分を差し引くことを特徴とする。
【００１０】
また、請求項４に記載された発明は、請求項１記載の振込依頼処理システムにおいて、
前記数量データは、振込手数料の前払い金額を表す金額データであり、
前記前払いデータ更新手段は、前記金額データから前記受け付けた振込依頼に係わる手数料額を差し引くことを特徴とする。
【００１１】
また、請求項５に記載された発明は、請求項１〜４のうち何れか１項記載の振込依頼処理システムにおいて、
前記受け付けた振込依頼に従って振込処理が実行された場合に、その振込日や振込先を含んだ情報を使用履歴情報として、当該振込依頼人である顧客に関係付けて前記記憶部に記録する履歴記録手段と、
前記記録された使用履歴情報を、該当する顧客の端末へ送信する履歴情報送信手段と、を更に備えることを特徴とする。
【００１２】
また、請求項６に記載された発明は、請求項１〜５のうち何れか１項記載の振込依頼処理システムにおいて、
顧客からの振込手数料の前払い額を含んだ前払い申込データを受け付ける手段と、
前記受け付けた前払い申込データに応じて、当該顧客について前記記憶部に記録された前払いデータを更新する手段と、を更に備えることを特徴とする。
【００１３】
また、請求項７に記載された発明は、振込依頼を処理する方法であって、
コンピュータが、各顧客から前払いされた振込手数料の金額に応じた前払いデータを所定の記憶部に記録するステップと、
コンピュータが、前払いした振込手数料を今回の振込手数料に充当するかどうかの指定を含んだ振込依頼を受け付けるステップと、
コンピュータが、前記受け付けた振込依頼において前払いした振込手数料を今回の振込手数料に充当することが指定されている場合に、当該振込依頼人である顧客について前記記憶部に記憶された前払いデータから、今回の振込案件での使用分を差し引くステップと、
コンピュータが、前記受け付けた振込依頼に従って振込先口座への振込処理を実行するステップと、を備えることを特徴とする。
【発明の効果】
【００１４】
本発明によれば、振込依頼人は、振込手数料を前払いすることにより、振込手数料の管理を簡便に行うことが可能となる。
【発明を実施するための最良の形態】
【００１５】
以下、添付図面を参照して本発明の一実施形態について説明する。本実施形態のシステムでは、振込依頼人は振込手数料を前払いすることができ、この前払いされた振込手数料に応じたデータは金融機関のシステム上で管理される。そして、振込依頼を行う場合には、前払いした振込手数料を、各振込依頼での手数料に充当しながら、前払い額に応じた回数分だけ振込依頼を行うことができる。このように、本実施形態において、振込依頼人は、例えば乗車チケットの回数券を購入するかのように、一定回数分の振込手数料を前払いすることになるので、以下の説明では、振込依頼人が前払いしてシステム上で電子的に管理される振込手数料を「振込回数券」と称するものとする。
【００１６】
＝＝システム構成＝＝
図１は、本実施形態の振込依頼処理システムの全体構成図である。同図に示す如く、本実施形態のシステムは、金融機関Ａの企業向けネットワークバンキングサービスを提供するネットバンキングサーバー１０を含んで構成されている。ネットバンキングサーバー１０は、公衆回線網やインターネット等の社外ネットワーク１２に接続されており、金融機関Ａとネットワークバンキング契約を結んだ各顧客は、顧客端末１４からネットバンキングサーバー１０にアクセスしてネットワークバンキングサービスを利用することができる。
【００１７】
ネットバンキングサーバー１０は、金融機関Ａの社内ネットワーク１６に接続されている。この社内ネットワーク１６には、金融機関Ａの口座管理を行うホストコンピュータ１８、金融機関Ａの店舗や各所のＡＴＭコーナーに設置されたＡＴＭ２０、および、営業店窓口に設置されたホスト端末２２が接続されている。また、ホストコンピュータ１８には、全銀システム２４を介して、他行での口座管理を行う他行ホストコンピュータ２６が接続されている。ホストコンピュータ１８が全銀システム２４経由で他行ホストコンピュータ２６との間で振込依頼信号をやりとりすることで、金融機関Ａから他行、あるいは、他行から金融機関Ａへの振込処理が行われる。
【００１８】
金融機関Ａの社内ネットワーク１６には、また、口座情報データベース２８及び顧客情報データベース３０が設けられている。口座情報データベース２８及び顧客情報データベース３０には、ホストコンピュータ１８およびネットバンキングサーバー１０からアクセスすることができる。
【００１９】
口座情報データベース２８には、金融機関Ａに開設された各口座について、名義人、顧客番号、口座情報（店名、口座科目、口座番号）、口座残高、取引履歴明細等のデータが記録されている。
【００２０】
また、顧客情報データベース３０（本発明の「記憶部」に対応）には、図２に示すように、金融機関Ａとの間で企業向けネットワークバンキングサービスの契約を結んだ各顧客について、顧客番号、パスワード、１つ又は複数の取引口座についての口座情報（店名、口座科目、口座番号）、振込回数券残度数データ、振込回数券使用履歴データ（振込回数券の購入日及び購入度数、振込回数券を使用した振込案件毎の振込先名、振込金額等）が記録されている。ここで、振込回数券残度数データは、振込依頼人が購入した振込回数券（すなわち、前払いした振込手数料）のうち、使用済み分を除いた残りの使用可能回数を表すデータであり、本発明の「回数データ」に対応している。なお、振込手数料の料金体系は、他行向け振込の場合と、自行向け振込の場合とで異なる。そこで、本実施形態では、後述するように、他行向け振込用の振込回数券と、自行向け振込用の振込回数券の２つの種別の振込回数券を利用できるものとしており、振込回数券残度数データ及び振込回数券使用履歴データも種別毎に記録される。
【００２１】
なお、本実施形態では、口座情報データベース２８及び顧客情報データベース３０の２つのデータベースに区分しているが、これに限らず、両データベースを統合してもよいし、他の形態で区分してもよい。
【００２２】
＝＝処理の説明＝＝
本実施形態では、顧客による振込回数券の購入（つまり振込手数料の前払い）は、ネットワークバンキングのサービス上で行なえるものとしている。ただし、これに限らず、店舗窓口やＡＴＭ２０で振込回数券を購入できるようにしてもよい。また金融機関Ａへの振込依頼は、ネットワークバンキング、ＡＴＭ２０、営業店窓口から行うことができるが、以下の説明では、ネットワークバンキング経由で振込依頼を行う場合について述べる。
【００２３】
＜振込回数券の購入＞
図３は、顧客が振込回数券を購入する場合の処理の流れを示す。同図に示すように、顧客が顧客端末１４からネットバンキングサーバー１０にアクセスすると（Ｓ１００）、顧客番号及びパスワード等による認証が行われたうえで（Ｓ１０２）、ネットバンキングサーバー１０から顧客端末１４へ初期メニュー画面が送信される（Ｓ１０４）。
【００２４】
図４は、初期メニュー画面の一例を示す。同図に示すように、初期メニュー画面には、「円預金サービス」、「取引記録」、「振込回数券購入」、「振込回数券照会」等のメニュー項目が含まれている。この初期メニュー画面において「振込回数券購入」メニューが選択されると（Ｓ１０６）、ネットバンキングサーバー１０は、振込回数券の購入申込を行うための購入申込画面を生成して顧客端末１４へ送信する（Ｓ１０８）。
【００２５】
図５は、振込回数券の購入申込画面の一例を示す。同図に示すように、購入申込画面には、引落口座入力欄５０、回数券種類指定欄５２等が含まれている。引落口座入力欄５０では、当該顧客が金融機関Ａに保有する取引口座から振込回数券購入代金の引落口座を選択入力することができる。なお、ネットバンキングサーバー１０は、購入申込画面を生成するにあたり、顧客情報データベース３０から当該顧客の顧客番号に対応する１つ又は複数の取引口座を読み出して引落口座入力欄５０に付帯させる。また、回数券種類指定欄５２では、他行向け振込又は自行向け振込の種別や、振込回数券の使用度数を選択できる。
【００２６】
購入申込画面の引落口座入力欄５０で引落口座が入力され、回数券種類指定欄５２で振込回数券の種類が選択されて「次へ」ボタン５４がクリックされると（Ｓ１１０）、ネットバンキングサーバー１０は、指定された振込回数券の種類及びその金額と、引落口座情報を表示した購入確認画面（図６）を生成して、顧客端末１４へ送信する（Ｓ１１２）。この購入確認画面にて「はい」ボタン６０がクリックされると（Ｓ１１４）、ネットバンキングサーバー１０は、ホストコンピュータ１８に対して、指定された引落口座から振込回数券の代金を引き落とすように指令する（Ｓ１１６）。さらに、ネットバンキングサーバー１０は、当該顧客について顧客情報データベース３０に記録された振込回数券残度数データ及び振込回数券使用履歴データを更新する（Ｓ１１８）。具体的には、購入された振込回数券の種別について、回数券残度数データを購入された振込回数券の度数分だけ増加させると共に、購入日時及び購入度数を振込回数券使用履歴データに追加する。
【００２７】
以上で、振込回数券の購入処理は終了する。
【００２８】
＜振込処理＞
図７は、顧客が金融機関Ａへ振込依頼を行う場合の処理の流れを示す。  
金融機関Ａへ振込依頼を行おうとする顧客の担当者は、顧客端末１４からネットバンキングサーバー１０へアクセスして認証を受け、図４の初期メニュー画面を表示させる（Ｓ１５０〜Ｓ１５４）。この初期メニュー画面において、「円預金サービス」メニューが選択されると（Ｓ１５６）、ネットバンキングサーバー１０は顧客端末１４へ円預金サービス画面を送信する（Ｓ１５８）。
【００２９】
図８は、円預金サービス画面の一例を示す。同図に示すように、円預金サービス画面には、「振込」、「振替」、「残高照会」、「明細照会」等のタブメニューが含まれている。同図では、「振込」メニューが選択された状態を示しており、この画面には、引落口座入力欄７０、振込金額入力欄７２、振込指定日入力欄７４、振込内容入力欄７６、振込回数券使用指定欄７８、「ＯＫ」ボタン８０等が含まれている。このうち、引落口座入力欄７０では、上記した購入申込画面（図５）の場合と同様に、当該顧客について予め登録してある取引口座の中から選択することができる。また、振込内容入力欄７６には、振込先や振込金額の入力欄が設けられており、さらに、振込回数券使用指定欄７８には、振込回数券を使用して振込手数料を支払うかどうかを選択するためのチェックボックスが含まれている。これら各入力欄に入力されて「ＯＫ」ボタン８０がクリックされると（Ｓ１６０）、各入力欄への入力データ（以下、振込依頼データという）がネットバンキングサーバー１０へ送信される。このように、本実施形態では、ネットバンキングサーバー１０がネットワーク経由で顧客端末１４から振込依頼を受け付ける構成としている。
【００３０】
ネットバンキングサーバー１０は、顧客端末１４から振込依頼データを受信すると、この振込依頼データに基づいて、振込内容確認画面を生成して顧客端末１４へ送信する（Ｓ１６２）。この振込内容確認画面にて確認操作が行われると（Ｓ１６４）、ネットバンキングサーバー１０は、振込依頼データに基づいて、振込回数券を使用することが指定されているかどうかを判別する（Ｓ１６６）。
【００３１】
その結果、振込回数券を使用することが指定されていない場合には、ネットバンキングサーバー１０は、引落口座から振込先口座への振込を行うと共に、ホストコンピュータ１８に対して、引落口座から所定の振込手数料を引き落とすように指令を出して（Ｓ１６８）、処理を終了する。
【００３２】
一方、振込回数券を使用することが指定されている場合には、ネットバンキングサーバー１０は、顧客情報データベース３０を参照して、該当する種別の振込回数券（すなわち、他行口座への振込依頼である場合には他行向け振込回数券、金融機関Ａの口座への振込依頼である場合には自行向け振込回数券）の残度数が１以上であるかどうかを判定する（Ｓ１７０）。その結果、残度数が１以上であれば、当該残度数から１を減じる（Ｓ１７２）と共に、ホストコンピュータ１８に対して、引落口座から振込先口座への振込処理を行うように指令を出して（Ｓ１７４）、処理を終了する。ただし、振込手数料の発生しない振込依頼（例えば、同一支店内の口座間の振込依頼）の場合は、残度数のチェックや残度数を減じる処理を行うことなく、ホストコンピュータ１８へ振込処理の実行を指令するものとする。一方、振込回数券の残度数が０であれば、振込回数券の残度数がない旨のメッセージ画面を顧客端末１４へ送信し（Ｓ１７６）、顧客端末１４での指示操作（Ｓ１７８）に応じて、振込依頼を取り消し、あるいは、振込手数料を引落口座から引き落として振込を行うようホストコンピュータ１８へ指令を出して（Ｓ１８０）、処理を終了する。
【００３３】
＜振込回数券の使用履歴照会＞
図９は、顧客が振込回数券の使用履歴を照会する場合の処理の流れを示す。  
振込回数券の使用履歴を照会しようとする顧客の担当者は、顧客端末１４からネットバンキングサーバー１０へアクセスして認証を受け、初期メニュー画面を表示させる（Ｓ２００〜Ｓ２０４）。この初期メニュー画面において、「振込回数券照会」メニューが選択されると（Ｓ２０６）、ネットバンキングサーバー１０は顧客情報データベース３０から、当該顧客についての回数券使用履歴情報を読み出し（Ｓ２０８）、その情報を表示する使用履歴表示画面を生成して、顧客端末１４へ送信する（Ｓ２１０）。
【００３４】
図１０は、使用履歴表示画面の一例を示す。同図に示すように、使用履歴表示画面には、振込種別毎に、振込回数券の購入日、購入度数や、振込回数券を使用して行った振込の振込先、振込金額等の履歴が一覧表示される。また、同図に示すように、使用履歴表示画面には、「データダウンロード」ボタン９０が含まれており、このボタン９０がクリックされると（Ｓ２１２）、ネットバンキングサーバー１０は、回数券使用履歴情報を所定フォーマット（例えばＣＳＶフォーマット等）に変換して、顧客端末１４へダウンロードする（Ｓ２１４）。顧客では、こうしてダウンロードした回数券使用履歴情報を経理処理等に有効に活用することができる。
【００３５】
＝＝本実施形態の効果、変形例等＝＝
以上説明したように、本実施形態のシステムによれば、振込依頼人は振込回数券を購入する形で振込手数料を前払いできるので、振込手数料を振込資金とは別枠で一括管理することが容易となる。また、振込回数券の使用履歴を照会することができ、また、使用履歴を表すデータをダウンロードすることもできるので、振込依頼人における振込手数料の管理事務をより簡便に行うことができる。
【００３６】
また、本実施形態では、振込手数料を前払いするようにしているため、金融機関は振込依頼人の信用度を確認する手間が不要となり、また、振込依頼人にとっても、そのような信用確認を受けることなく手軽に本システムのサービスを受けることができるというメリットがある。
【００３７】
さらに、振込手数料を前払いすることにより、振込元の口座残高が振込金額と振込手数料との合計額に不足するという事態を回避することができるので、金融機関にとって、口座残高不足に対応するための事務負担も軽減されることになる。
【００３８】
また、振込回数券を購入した顧客は、以後、同じ金融機関を利用して振込依頼を行おうとするのが通常であると考えられるため、金融機関は振込回数券を発行することにより、自社へ顧客を誘導して振込手数料収入の増大を期待できるという効果もある。
【００３９】
なお、上記実施形態では、ネットバンキングサービスにより振込依頼を行う場合について説明したが、本発明はこれに限らず、ＡＴＭや店舗窓口で振込依頼を行う場合にも適用が可能である。すなわち、ＡＴＭの場合は、ＡＴＭの振込メニュー画面に、振込回数券を使用するか否かの指定欄を設けておき、上記実施形態と同様に、振込回数券の使用が指定されれば振込回数券の残度数を１だけ減じるようにすればよい。店舗窓口での振込依頼の場合も、振込依頼用紙に振込回数券を使用するかどうかを指定するようにしておき、ホスト端末にて、その指定内容を入力できるようにすればよい。
【００４０】
また、上記実施形態では、他行向けと自行向けの２つの種別の振込回数券を発行するものとしたが、これに限らず、他行向けと自行向けとを区別しないで共通の振込回数券を使用するものとしてもよい。
【００４１】
さらに、回数券方式ではなく、プリペイドカードのように、振込を行う都度、前払いした金額から、発生した振込手数料額を差し引いていくようにしてもよい。この構成では、顧客情報データベース３０には振込回数券残度数データに代えて、プリペイド残額を表すデータ（本発明の「金額データ」に対応）を記録し、また、図３のＳ１１８では、今回の振込処理で発生した手数料額を顧客情報データベース３０に記録されたプリペイド残額から差し引く処理を行えばよい。
【００４２】
なお、振込回数券の料金設定や、一定金額分の回数券度数は、適宜、設定することができる。例えば、振込１００回分の手数料額で１０５回の振込を可能としたり、特定のキャンペーン期間中は、一律３回分をサービスするなど、顧客を吸引するために様々な設定が可能である。また、上記したプリペイドカード方式の場合には、１００００円を前払いすると、１０５００円分の手数料として使用できるようにすることなどが考えられる。
【図面の簡単な説明】
【００４３】
【図１】本発明の一実施形態であるシステムの全体構成図である
【図２】顧客情報データベースに記録されたデータの項目を示す図である。
【図３】顧客が振込回数券を購入する（つまり、振込手数料を前払いする）場合の処理の流れを示す図である。
【図４】初期メニュー画面の一例を示す図である。
【図５】振込回数券の購入申込画面の一例を示す図である。
【図６】購入確認画面の一例を示す図である。
【図７】顧客が金融機関Ａへ振込依頼を行う場合の処理の流れを示す図である。
【図８】円預金サービス画面の一例を示す図である。
【図９】顧客が振込回数券の使用履歴を照会する場合の処理の流れを示す図である。
【図１０】使用履歴表示画面の一例を示す図である。
【符号の説明】
【００４４】
１０  ネットバンキングサーバー
１２  社外ネットワーク
１４  顧客端末
１６  社内ネットワーク
１８  ホストコンピュータ
２０  ＡＴＭ
２２  ホスト端末
２４  全銀システム
２６  他行ホストコンピュータ
２８  口座情報データベース
３０  顧客情報データベース
【図１】
2005092789.tif 000003
【図２】
2005092789.tif 000004
【図３】
2005092789.tif 000005
【図４】
2005092789.tif 000006
【図５】
2005092789.tif 000007
【図６】
2005092789.tif 000008
【図７】
2005092789.tif 000009
【図８】
2005092789.tif 000010
【図９】
2005092789.tif 000011
【図１０】
2005092789.tif 000012